【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
ユーザの操作に応じて表示領域を移動させて表示画像を生成する画像処理装置であって、
表示対象の複数の画像のデータと、一の画像を表示中に表示領域と特定のリンク領域との包含関係が所定の条件を満たしたとき表示中の画像から別の画像へ表示を切り替えるリンク機能を実現するために画像ごとに設定された、前記リンク領域の情報およびリンク先画像の識別情報を記載したリンク設定ファイルと、を対応づけて記憶したコンテンツ記憶部と、
表示中の画像における表示領域の移動によって、当該画像に対し設定されたリンク領域との包含関係が前記所定の条件を満たしたか否かを判定するリンク処理部と、
前記リンク処理部によって前記所定の条件を満たしたと判定されたとき、リンク先画像の識別情報に基づきその画像データを描画処理することによりリンク先画像へ表示画像を切り換える表示画像処理部と、
を備え、
前記リンク処理部はさらに、表示中の画像へ切り換える前の画像に対して設定されたリンク領域と、前記表示中の画像における表示領域との包含関係を継続して監視し、当該包含関係が前記所定の条件を満たさなくなったか否かを判定し、
前記表示画像処理部はさらに、前記リンク処理部によって前記所定の条件を満たさなくなったと判定されたとき、前記切り換える前の画像へ表示画像を戻すことを特徴とする画像処理装置。
【請求項２】
前記リンク設定ファイルにおいて、各画像の端を構成する矩形の四辺のうち向かい合う２辺の外側の領域をそれぞれ含み、異なる画像をリンク先とする２つのリンク領域が設定され、
前記表示画像処理部は、表示中の画像の前記２辺のいずれかへ向かう表示領域の移動によって前記所定の条件を満たしたと判定されたとき、リンク先画像への表示画像の切り替えを行うことにより、リンクによって連結された前記複数の画像の仮想的な配列を表現することを特徴とする請求項１に記載の画像処理装置。
【請求項３】
表示領域が前記リンク領域に包含された状態を前記所定の条件とし、
前記仮想的な配列において前後する第１、第２の画像のうち、第１の画像に対して設定された、第２の画像をリンク先とするリンク領域と、当該第２の画像に対し設定された、前記第１の画像をリンク先とするリンク領域とが重なる領域が、表示領域を包含しない大きさとなるように、各画像のリンク領域が設定され、
前記リンク処理部は、前記前の画像である前記第１の画像をリンク先とするリンク領域と表示領域との包含関係が前記所定の条件を満たしたと判定するより先に、表示中の画像である前記第２の画像をリンク先とするリンク領域と表示領域との包含関係が前記所定の条件を満たさなくなったと判定することを特徴とする請求項２に記載の画像処理装置。
【請求項４】
表示領域が前記リンク領域に包含された状態を前記所定の条件とし、
前記仮想的な配列において連続する第１、第２、第３の画像のうち、第１の画像に対して設定された、第２の画像をリンク先とするリンク領域と、当該第２の画像に対し設定された、第３の画像をリンク先とするリンク領域とが重なる領域が、表示領域を包含する大きさとなるように、各画像のリンク領域が設定され、
前記リンク処理部は、表示中の画像である前記第２の画像をリンク先とするリンク領域と表示領域との包含関係が前記所定の条件を満たさなくなったと判定するより先に、表示中の画像である前記第２の画像に設定された、前記第３の画像をリンク先とするリンク領域と表示領域との包含関係が前記所定の条件を満たしたと判定することを特徴とする請求項２または３のいずれかに記載の画像処理装置。
【請求項５】
前記リンク処理部は、表示中の画像に対し設定されたリンク領域と表示領域との包含関係が前記所定の条件を満たしたと判定したとき、対応するリンク先画像の識別情報を表示履歴として記録し、
前記表示画像処理部は、ユーザがやり直しを要求する操作を行う都度、前記表示履歴に記録されたリンク先画像の識別情報を、記録順と逆の順序で取得し、当該識別情報を有する画像へ表示画像を切り換えることを特徴とする請求項１から４のいずれかに記載の画像処理装置。
【請求項６】
前記表示画像処理部は、前記表示領域の移動によって前記包含関係が所定の条件を満たしたと判定されたとき、リンク先画像を表示画像とするとともに、表示領域に含まれるリンク元の画像の一部を継続して表示画像に含めることにより前記仮想的な配列を表現することを特徴とする請求項２に記載の画像処理装置。
【請求項７】
前記コンテンツ記憶部が記憶する複数の画像のデータは、一つの画像を単一の解像度で表したデータと、一つの画像を複数の解像度で表したデータを階層化してなる階層構造を有するデータとを含むことを特徴とする請求項１から６のいずれかに記載の画像処理装置。
【請求項８】
複数の画像データを生成する画像データ生成部と、
ユーザの操作に応じて表示領域を移動させて表示画像を生成する画像処理装置において、一の画像を表示中に表示領域が特定のリンク領域に包含されたとき表示中の画像から別の画像へ表示を切り替えるリンク機能を実現するために画像ごとに設定する前記リンク領域を、リンクによって表される画像の仮想的な配列において前後する第１、第２の画像のうち、第１の画像に対して設定された、第２の画像をリンク先とするリンク領域と、当該第２の画像に対し設定された、前記第１の画像をリンク先とするリンク領域とが重なる領域が、表示領域を包含しない大きさとなるように調整して設定するリンク調整部と、
前記リンク領域の情報およびリンク先画像の識別情報を記載したリンク設定ファイルと、前記画像データとを対応づけたコンテンツファイルを出力するコンテンツファイル出力部と、
を備えたことを特徴とするコンテンツ作成装置。
【請求項９】
前記リンク調整部は、前記仮想的な配列において連続する第１、第２、第３の画像のうち、第１の画像に対して設定された、第２の画像をリンク先とするリンク領域と、当該第２の画像に対し設定された、第３の画像をリンク先とするリンク領域とが重なる領域が、表示領域を包含する大きさとなるように前記リンク領域を調整して設定することを特徴とする請求項８に記載のコンテンツ作成装置。
【請求項１０】
ユーザの操作に応じて表示領域を移動させ表示画像を生成する画像処理方法であって、
表示対象の複数の画像のデータと、一の画像を表示中に表示領域と特定のリンク領域との包含関係が所定の条件を満たしたとき表示中の画像から別の画像へ表示を切り替えるリンク機能を実現するために画像ごとに設定された、前記リンク領域の情報およびリンク先画像の識別情報を記載したリンク設定ファイルと、を対応づけたコンテンツファイルを記憶装置より読み出すステップと、
表示中の画像における表示領域の移動によって、当該画像に対し設定されたリンク領域との包含関係が前記所定の条件を満たしたとき、リンク先画像の識別情報に基づきその画像データを描画処理することによりリンク先画像へ表示画像を切り換えるステップと、
表示中の画像へ切り換える前の画像に対して設定されたリンク領域と、前記表示中の画像における表示領域との包含関係を継続して監視し、当該包含関係が前記所定の条件を満たさなくなったとき、前記切り換える前の画像へ表示画像を戻すステップと、
を含むことを特徴とする画像処理方法。
【請求項１１】
ユーザの操作に応じて表示領域を移動させて表示画像を生成する機能をコンピュータに実現させるコンピュータプログラムであって、
表示対象の複数の画像のデータと、一の画像を表示中に表示領域と特定のリンク領域との包含関係が所定の条件を満たしたとき表示中の画像から別の画像へ表示を切り替えるリンク機能を実現するために画像ごとに設定された、前記リンク領域の情報およびリンク先画像の識別情報を記載したリンク設定ファイルと、を対応づけたコンテンツファイルを記憶装置より読み出す機能と、
表示中の画像における表示領域の移動によって、当該画像に対し設定されたリンク領域との包含関係が前記所定の条件を満たしたとき、リンク先画像の識別情報に基づきその画像データを描画処理することによりリンク先画像へ表示画像を切り換える機能と、
表示中の画像へ切り換える前の画像に対して設定されたリンク領域と、前記表示中の画像における表示領域との包含関係を継続して監視し、当該包含関係が前記所定の条件を満たさなくなったとき、前記切り換える前の画像へ表示画像を戻す機能と、
をコンピュータに実現させることを特徴とするコンピュータプログラム。
【請求項１２】
ユーザの操作に応じて表示領域を移動させて表示画像を生成する機能をコンピュータに実現させるコンピュータプログラムを記録した記録媒体であって、
表示対象の複数の画像のデータと、一の画像を表示中に表示領域と特定のリンク領域との包含関係が所定の条件を満たしたとき表示中の画像から別の画像へ表示を切り替えるリンク機能を実現するために画像ごとに設定された、前記リンク領域の情報およびリンク先画像の識別情報を記載したリンク設定ファイルと、を対応づけたコンテンツファイルを記憶装置より読み出す機能と、
表示中の画像における表示領域の移動によって、当該画像に対し設定されたリンク領域との包含関係が前記所定の条件を満たしたとき、リンク先画像の識別情報に基づきその画像データを描画処理することによりリンク先画像へ表示画像を切り換える機能と、
表示中の画像へ切り換える前の画像に対して設定されたリンク領域と、前記表示中の画像における表示領域との包含関係を継続して監視し、当該包含関係が前記所定の条件を満たさなくなったとき、前記切り換える前の画像へ表示画像を戻す機能と、
をコンピュータに実現させることを特徴とするコンピュータプログラムを記録した記録媒体。
【請求項１３】
ユーザの操作に応じて表示領域を移動させて表示画像を生成する画像処理装置において処理されるコンテンツファイルのデータ構造であって、
表示対象の複数の画像のデータと、
一の画像を表示中に表示領域が特定のリンク領域に包含されたとき表示中の画像から別の画像へ表示を切り替えるリンク機能を実現するために画像ごとに設定される前記リンク領域であって、リンクによって表される画像の仮想的な配列において前後する第１、第２の画像のうち、第１の画像に対して設定された、第２の画像をリンク先とするリンク領域と、当該第２の画像に対し設定された、前記第１の画像をリンク先とするリンク領域とが重なる領域が、表示領域を包含しない大きさとなるように設定されたリンク領域、およびリンク先画像の識別情報を記載したリンク設定ファイルと、
を対応づけたことを特徴とするコンテンツファイルのデータ構造。
【請求項１４】
前記リンク領域は、前記仮想的な配列において連続する第１、第２、第３の画像のうち、第１の画像に対して設定された、第２の画像をリンク先とするリンク領域と、当該第２の画像に対し設定された、第３の画像をリンク先とするリンク領域とが重なる領域が、表示領域を包含する大きさとなるように設定されていることを特徴とする請求項１３に記載のコンテンツファイルのデータ構造。
【手続補正２】
【補正対象書類名】明細書
【補正対象項目名】００６６
【補正方法】変更
【補正の内容】
【００６６】
そして当該リンクの有効性を、アクティブ画像の切り換え後も監視し続けることにより、当該リンクを無効とするか否かを判定する。リンクが無効と判定された場合は、リンク元である直前のアクティブ画像へ表示対象を戻す。この場合、直前のアクティブ画像のデータをバッファメモリ７０やフレームメモリなどに常時、残しておくようにすれば、リンク判定部１２２は表示画像処理部１１４のみにそれを通知すればよくなる。表示画像処理部１１４が当該画像をフレームメモリに描画したり、表示処理部４４に通知して出力画像を切り換えさせるなど最低限の処理によって、アクティブ画像を元に戻すことができる。